【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
記録紙上に画像を形成するための駆動系ユニットと、
前記駆動系ユニットの動作を制御するコントローラと、を有する画像形成装置の電源システムであって、
前記駆動系ユニットに電力を供給する駆動系電源ユニットと、
前記コントローラに電力を供給する制御系電源ユニットと、
前記駆動系電源ユニットのＯＮ／ＯＦＦを制御するとともに前記駆動系電源ユニットの出力電圧をモニタする駆動系電源制御回路と、を有し、
前記制御系電源ユニットは、前記駆動系電源制御回路を動作させるために前記駆動系電源制御回路にも電力を供給し、
前記駆動系電源制御回路は、前記駆動系電源ユニットの出力電圧が正常な値でない場合、前記駆動系電源ユニットをＯＦＦし、所定の待機時間の経過後、ＯＮすることにより、前記駆動系電源ユニットを再起動することを特徴とする電源システム。
【請求項２】
前記駆動系電源制御回路は、前記駆動系電源ユニットを起動させる際に、前記駆動系電源ユニットの出力電圧が正常な値でない場合、前記駆動系電源ユニットをＯＦＦし、前記駆動系電源ユニットのシャットダウンが解除されるのに充分な時間経過後に、ＯＮすることにより、前記駆動系電源ユニットを再起動することを特徴とする請求項１に記載の電源システム。
【請求項３】
前記駆動系電源制御回路は、前記駆動系電源ユニットを駆動させている間に、前記駆動系電源ユニットの出力電圧が正常な値でない場合、前記駆動系電源ユニットをＯＦＦし、前記駆動系電源ユニットのシャットダウンが解除されるのに充分な時間経過後に、ＯＮすることにより、前記駆動系電源ユニットを再起動することを特徴とする請求項１または２に記載の電源システム。
【請求項４】
前記駆動系電源制御回路は、前記駆動系電源ユニットの再起動の回数をカウントするカウント機構を有し、再起動回数が所定回数に達した場合、前記駆動系電源ユニットの再起動を停止することを特徴とする請求項１ないし３のいずれか一つに記載の電源システム。
【請求項５】
前記駆動系電源制御回路は、前記駆動系電源ユニットの再起動の時間間隔を計測するタイマー機構を有し、再起動の時間間隔が所定の時間間隔より短かった場合、前記駆動系電源ユニットを再起動するために前記駆動系電源ユニットをＯＦＦしてからＯＮするまでの前記待機時間をより長い時間に変えることを特徴とする請求項１ないし４のいずれか一つに記載の電源システム。
【請求項６】
前記駆動系電源制御回路は、電源システムの状態をユーザに報知することを特徴とする請求項１ないし５のいずれか一つに記載の電源システム。
【請求項７】
前記制御系電源ユニットはユーザにより操作される電源スイッチを介して商用電源と接続され、電源スイッチのＯＮにより前記制御系電源ユニットが立ち上がり、前記コントローラおよび前記駆動系電源制御回路への電力供給が始まることを特徴とする請求項１ないし６のいずれか一つに記載の電源システム。
【請求項８】
前記駆動系電源ユニットは商用電源と接続され、前記駆動系電源制御回路からのＯＮ信号により起動し、前記駆動系ユニットへの電力供給を開始することを特徴とする請求項１ないし７のいずれか一つに記載の電源システム。
【請求項９】
記録紙上に画像を形成するための駆動系ユニットに電力を供給する駆動系電源ユニットと、前記駆動系ユニットの動作を制御するコントローラに電力を供給する制御系電源ユニットと、前記駆動系電源ユニットのＯＮ／ＯＦＦを制御するとともに前記駆動系電源ユニットの出力電圧をモニタする駆動系電源制御回路とを有する画像形成装置の電源システムの制御方法であって、
前記制御系電源ユニットは、前記駆動系電源制御回路を動作させるために前記駆動系電源制御回路にも電力を供給し、
前記駆動系電源制御回路は、前記駆動系電源ユニットの出力電圧が正常な値でない場合、前記駆動系電源ユニットをＯＦＦし、所定の待機時間の経過後、ＯＮすることにより、前記駆動系電源ユニットを再起動することを特徴とする電源システムの制御方法。
【手続補正２】
【補正対象書類名】明細書
【補正対象項目名】００１８
【補正方法】変更
【補正の内容】
【００１８】
記録紙上に画像を形成するための駆動系ユニットと、前記駆動系ユニットの動作を制御するコントローラと、を有する画像形成装置の電源システムであって、前記駆動系ユニットに電力を供給する駆動系電源ユニットと、前記コントローラに電力を供給する制御系電源ユニットと、前記駆動系電源ユニットのＯＮ／ＯＦＦを制御するとともに前記駆動系電源ユニットの出力電圧をモニタする駆動系電源制御回路と、を有し、前記制御系電源ユニットは、前記駆動系電源制御回路を動作させるために前記駆動系電源制御回路にも電力を供給し、前記駆動系電源制御回路は、前記駆動系電源ユニットの出力電圧が正常な値でない場合、前記駆動系電源ユニットをＯＦＦし、所定の待機時間の経過後、ＯＮすることにより、前記駆動系電源ユニットを再起動することを特徴とする電源システム。
【手続補正３】
【補正対象書類名】明細書
【補正対象項目名】００２２
【補正方法】変更
【補正の内容】
【００２２】
レーザービームプリンタ本体１０１（以下、本体１０１）は、記録紙Ｓを収納する給紙カセット１０２を有し、給紙カセット１０２の記録紙Ｓの有無を検知するカセット有無センサ１０３、給紙カセット１０２の記録紙Ｓのサイズを検知するカセットサイズセンサ１０４（複数個のマイクロスイッチで構成される）、給紙カセット１０２から記録紙Ｓを繰り出す給紙ローラ１０５ａおよび搬送ローラ対１０５ｂ、１０５ｃ、１０５ｄ等が設けられている。そして、給紙ローラ１０５ａ、搬送ローラ対１０５ｂ、１０５ｃ、１０５ｄの下流には記録紙Ｓを同期搬送するレジストローラ対１０６が設けられている。
【手続補正４】
【補正対象書類名】明細書
【補正対象項目名】００４１
【補正方法】変更
【補正の内容】
【００４１】
感光ドラム１１７は、図１中時計回り方向に所定の周速度（プロセススピード）にて回転駆動される。感光ドラム１１７は、その回転過程で帯電手段としての１次帯電ローラ１１９により所定の極性・電位に一様に帯電処理される。その感光ドラム１１７の一様帯電面に対してレーザスキャナ部１０７から出力される、目的の画像情報の時系列電気デジタル画素信号に対して変調制御（ＯＮ／ＯＦＦ制御）されたレーザービームによる走査露光がなされ、上記感光ドラム１１７の表面に目的の画像情報の静電潜像が形成される。前記感光ドラム１１７上に形成された静電潜像は、現像手段としての現像器１２０で現像材（トナー）により現像されて可視化される。
【手続補正５】
【補正対象書類名】明細書
【補正対象項目名】００４３
【補正方法】変更
【補正の内容】
【００４３】
定着フィルム１０９ａと加圧ローラ１０９ｂとの間を通過する記録紙Ｓに該定着フィルム１０９ａを介してセラミックヒータ１０９ｃの熱を印加すると共に加圧ローラ１０９ｂにより圧力を加えて、記録紙Ｓ上のトナー画像を熱定着処理する。定着器１０９を出た記録紙Ｓは、搬送ローラ対１１１、フェースアップ排紙ローラ対１４０により積載トレイ１１２にプリントアウトされる。
【手続補正６】
【補正対象書類名】明細書
【補正対象項目名】００４８
【補正方法】変更
【補正の内容】
【００４８】
本実施例では、この駆動系電源制御回路２０５が独立している場合を示しているが、エンジンコントローラ１２６内部に含まれる場合もあるし、制御系電源ユニット２０３に内包される場合もあり、多種の形態が考えられる。また、実施例では駆動系電源ユニット２０４のＯＮ／ＯＦＦ信号は、駆動系電源ユニット２０４内部のコントロール端子を直接制御しているが、別途駆動系電源ユニット２０４の商用電源入力側にリレー等のスイッチ手段を設け、これらスイッチ手段をＯＮ／ＯＦＦ制御する事により代用する場合もある。